(57)【要約】【課題】配線器具を簡単かつ確実に固定することができる、配線用ボックスを提供する。【解決手段】配線用ボックス１０は、前面に開口１１ａを有するボックス本体１１と、そのボックス本体１１に配線器具２を前方側からビス４を用いて取付固定するための固定部５とを備える。この固定部５は、相対向する第１係合片６と第２係合片７とを有する。それら第１および第２係合片６、７には、それぞれビス４のねじ山４ａと係合する係合部６ａ、７ａが設けられている。また、第１および第２係合片６、７は、弾性変形可能で、相対的に、第１係合片６のばね定数が大で、第２係合片７のばね定数が小となるように形成されている。【選択図】  図１
2005012877.tif 000002
【特許請求の範囲】
【請求項１】
前面に開口を有するボックス本体と、そのボックス本体に配線器具を前方側から、軸部に被係合部を有する取付部材を用いて、取付固定するための固定部とを備える、配線用ボックスであって、
前記固定部は、少なくとも、相対向する第１係合片と第２係合片とを有し、それら第１および第２係合片には、それぞれ前記被係合部と係合する係合部が設けられており、
前記固定部への前記軸部の進入を許容すべく、前記第１および第２係合片のうちの少なくとも第２係合片は、前記軸部に押された前記各係合部が前記被係合部から離脱するように、弾性変形可能に形成され、かつ、
前記第１係合片と前記第２係合片とは、前記第１係合片が弾性変形不能で、前記第２係合片が弾性変形可能となるように形成され、あるいは、それら第１および第２係合片が弾性変形可能で、その弾性変形において、相対的に、前記第１係合片のばね定数が大で、前記第２係合片のばね定数が小となるように形成されていることを特徴とする配線用ボックス。
【請求項２】
前記第１および第２係合片は、前記第１係合片が前記開口側となり、前記第２係合片が前記開口側とは反対側となるように配備されることを特徴とする請求項１に記載の配線用ボックス。
【請求項３】
前記第１および第２係合片は、前記ボックス本体とは別体となる係合体に設けられていることを特徴とする請求項１または２に記載の配線用ボックス。
【請求項４】
前記係合体は、板材からなり、その板材に、前記軸部が挿通される孔が形成され、前記第１および第２係合片の先端部分が、前記係合部となって、前記孔の周縁を形成し、
前記第１および第２係合片の、前記弾性変形が可能となる係合片は、前記孔から延びる切り込みあるいは切り欠きに挟まれるようにして形成されていることを特徴とする請求項３に記載の配線用ボックス。
【請求項５】
前記第１および第２係合片は、前記固定部とともに、前記ボックス本体と一体成形されていることを特徴とする請求項１または２に記載の配線用ボックス。
【請求項６】
前記取付部材は、ビスであって、前記被係合部は、そのビスのねじ山からなり、前記係合部が前記ねじ山と係合した状態で前記ビスを回動することで、前記ビスが進退移動することを特徴とする請求項１ないし５のいずれか１項に記載の配線用ボックス。
【請求項７】
前記取付部材は、ビスであって、前記被係合部は、そのビスのねじ山からなり、前記係合部が前記ねじ山と係合した状態で前記ビスを回動することで、前記ビスが進退移動し、
前記係合体は、ばね性を有するとともに、前記軸部の進入方向側に凸となるように湾曲もしくは屈曲して形成されていることを特徴とする請求項４に記載の配線用ボックス。
【請求項８】
前後に開口する開口孔を有するカバー本体と、そのカバー本体に配線器具を前方側から、軸部に被係合部を有する取付部材を用いて、取付固定するための固定部とを備える、配線用ボックスカバーであって、
前記固定部は、少なくとも、相対向する第１係合片と第２係合片とを有し、それら第１および第２係合片には、それぞれ前記被係合部と係合する係合部が設けられており、
前記固定部への前記軸部の進入を許容すべく、前記第１および第２係合片のうちの少なくとも第２係合片は、前記軸部に押された前記各係合部が前記被係合部から離脱するように、弾性変形可能に形成され、かつ、
前記第１係合片と前記第２係合片とは、前記第１係合片が弾性変形不能で、前記第２係合片が弾性変形可能となるように形成され、あるいは、それら第１および第２係合片が弾性変形可能で、その弾性変形において、相対的に、前記第１係合片のばね定数が大で、前記第２係合片のばね定数が小となるように形成されていることを特徴とする配線用ボックスカバー。
【請求項９】
前記第１および第２係合片は、前記第１係合片が前記開口孔側となり、前記第２係合片が前記開口孔側とは反対側となるように配備されることを特徴とする請求項８に記載の配線用ボックスカバー。
【請求項１０】
前記第１および第２係合片は、前記カバー本体とは別体となる係合体に設けられていることを特徴とする請求項８または９に記載の配線用ボックスカバー。
【請求項１１】
前記係合体は、板材からなり、その板材に、前記軸部が挿通される孔が形成され、前記第１および第２係合片の先端部分が、前記係合部となって、前記孔の周縁を形成し、
前記第１および第２係合片の、前記弾性変形が可能となる係合片は、前記孔から延びる切り込みあるいは切り欠きに挟まれるようにして形成されていることを特徴とする請求項１０に記載の配線用ボックスカバー。
【請求項１２】
前記第１および第２係合片は、前記固定部とともに、前記カバー本体と一体成形されていることを特徴とする請求項８または９に記載の配線用ボックスカバー。
【請求項１３】
前記取付部材は、ビスであって、前記被係合部は、そのビスのねじ山からなり、前記係合部が前記ねじ山と係合した状態で前記ビスを回動することで、前記ビスが進退移動することを特徴とする請求項８ないし１２のいずれか１項に記載の配線用ボックスカバー。
【請求項１４】
前記取付部材は、ビスであって、前記被係合部は、そのビスのねじ山からなり、前記係合部が前記ねじ山と係合した状態で前記ビスを回動することで、前記ビスが進退移動し、
前記係合体は、ばね性を有するとともに、前記軸部の進入方向側に凸となるように湾曲もしくは屈曲して形成されていることを特徴とする請求項１１に記載の配線用ボックスカバー。
【請求項１５】
配線用ボックスまたは配線用ボックスカバーに、配線器具を前方側から、軸部に被係合部を有する取付部材を用いて、取付固定するために、前記配線用ボックスまたは配線用ボックスカバーの固定部に備えられる、係合体であって、
少なくとも、相対向する第１係合片と第２係合片とを有し、それら第１および第２係合片には、それぞれ前記被係合部と係合する係合部が設けられており、
前記軸部の進入を許容すべく、前記第１および第２係合片のうちの少なくとも第２係合片は、前記軸部に押された前記各係合部が前記被係合部から離脱するように、弾性変形可能に形成され、かつ、
前記第１係合片と前記第２係合片とは、前記第１係合片が弾性変形不能で、前記第２係合片が弾性変形可能となるように形成され、あるいは、それら第１および第２係合片が弾性変形可能で、その弾性変形において、相対的に、前記第１係合片のばね定数が大で、前記第２係合片のばね定数が小となるように形成されていることを特徴とする、配線用ボックスまたは配線用ボックスカバーに用いられる係合体。
【発明の詳細な説明】
【０００１】
【発明の属する技術分野】
この発明は、配線器具を簡単かつ確実に固定することができる、配線用ボックスおよび配線用ボックスカバー、並びに、配線用ボックスまたは配線用ボックスカバーに用いられる係合体に関するものである。
【０００２】
【従来の技術】
従来、建物の壁表側から配線器具等を固定するには、取付け用のビスを、前記配線器具等が取着された器具枠に挿通するとともに、壁内に隠蔽もしくは埋設された配線用ボックスに設けられたナット、またはそのボックスに取り付けられたボックスカバーに設けられたナットに、前記ビスをねじ込んでいた。
【０００３】
しかし、前記ビスによるねじ込み作業は、ビスをドライバーで回転させて締め込んでゆかなければならず、大変面倒でかつ時間のかかるものであった。
【０００４】
そこで、ナットの替わりに鉄板材を用いたスイッチボックスが考案された（例えば、特許文献１参照）。この鉄板材には、孔が明けられており、その孔の周囲に、放射状に切れ目が入れられることで、多数のたわみ片が形成されていた。そして、ビスを、ドライバーで回転させることなく、孔に押し込むことで、ビスの山が、たわみ片の先端部分に係合し、こうして、配線器具を固定することができた。
【０００５】
【特許文献１】
実開昭５２−６４３９３号公報
【０００６】
【発明が解決しようとする課題】
ところで、スイッチボックスにおいて、前記たわみ片とビスとの係合のみにより配線器具を固定する場合には、たわみ片には、例えば、配線器具にプラグを抜き差しする際の力やプラグが電気機器により引っ張られる力に耐え得る強度が要求される。しかし、前記たわみ片は、ビスの挿入により容易に変形可能な弾性を有していなければならず、かかる構成のたわみ片では、前記配線器具に作用する力により前記係合が解除されてビスが抜け出してしまい、配線器具の確実な固定を確保することは困難であった。
【０００７】
この発明は、上記した従来の欠点を解決するためになされたものであり、その目的とするところは、配線器具を簡単かつ確実に固定することができる、配線用ボックスおよび配線用ボックスカバー、並びに、配線用ボックスまたは配線用ボックスカバーに用いられる係合体を提供することにある。
【０００８】
【課題を解決するための手段】
この発明に係る配線用ボックスおよび配線用ボックスカバー、並びに、配線用ボックスまたは配線用ボックスカバーに用いられる係合体は、前記目的を達成するために、次の構成からなる。すなわち、
請求項１に記載の発明に係る配線用ボックスは、前面に開口を有するボックス本体と、そのボックス本体に配線器具を前方側から、軸部に被係合部を有する取付部材を用いて、取付固定するための固定部とを備える。この固定部は、少なくとも、相対向する第１係合片と第２係合片とを有し、それら第１および第２係合片には、それぞれ前記被係合部と係合する係合部が設けられている。また、前記固定部への前記軸部の進入を許容すべく、前記第１および第２係合片のうちの少なくとも第２係合片は、前記軸部に押された前記各係合部が前記被係合部から離脱するように、弾性変形可能に形成され、かつ、前記第１係合片と前記第２係合片とは、前記第１係合片が弾性変形不能で、前記第２係合片が弾性変形可能となるように形成され、あるいは、それら第１および第２係合片が弾性変形可能で、その弾性変形において、相対的に、前記第１係合片のばね定数が大で、前記第２係合片のばね定数が小となるように形成されている。
【０００９】
これにより、この配線用ボックスに配線器具を取り付ける場合には、この配線用ボックスの固定部に、前方側から取付部材を押し込むように押圧する。こうすることで、第１および第２係合片に設けられた係合部が取付部材の軸部に押圧され、それに共なって、第２係合片、あるいは、第１および第２係合片が、弾性変形して、各係合部は、軸部の被係合部から離脱し、軸部は、固定部へ進入する。そして、取付部材の押し込みを終えると、係合部は、取付部材における被係合部と係合し、配線器具は、ボックス本体、つまりは配線用ボックスに取付固定される。ここにおいて、相対向する第１係合片と第２係合片とは、第１係合片が弾性変形不能で、第２係合片が弾性変形可能となるように形成され、あるいは、それら第１および第２係合片が弾性変形可能で、その弾性変形において、相対的に、第１係合片のばね定数が大で、第２係合片のばね定数が小となるように形成されている。このように、これら相対向する第１係合片と第２係合片とは、その剛性が、第１係合片が大で、第２係合片が小となるように、異なっているため、第１係合片が、取付部材の抜けに対して大きな抵抗力を発揮し、全体として、取付部材が抜け難い構造となっている。
【００１０】
また、請求項２に記載の発明に係る配線用ボックスのように、請求項１に記載の配線用ボックスにおいて、前記第１および第２係合片は、前記第１係合片が前記開口側となり、前記第２係合片が前記開口側とは反対側となるように配備されるのが望ましい。第２係合片が、弾性変形可能に形成されたり、また、相対的にばね定数が小となるように形成されているのに対し、第１係合片は、弾性変形不能に形成されたり、相対的にばね定数が大となるように形成されており、一般に、その第１係合片の占める領域は、第２係合片に比して小さくなる。したがって、取付部材の位置を変えることができない場合に、第１係合片を開口側に、そして、第２係合片を開口側とは反対側に配備することで、この開口を広く取ることが可能となる。
【００１１】
また、請求項３に記載の発明に係る配線用ボックスのように、請求項１または２に記載の配線用ボックスにおいて、前記第１および第２係合片は、前記ボックス本体とは別体となる係合体に設けられてもよい。このように、第１係合片と第２係合片とが、ボックス本体とは別体の係合体に設けられることから、これら第１および第２係合片の形状の自由度が増加し、この配線用ボックスの製造が容易となる。
【００１２】
また、請求項４に記載の発明に係る配線用ボックスのように、請求項３に記載の配線用ボックスにおいて、前記係合体は、板材からなり、その板材に、前記軸部が挿通される孔が形成され、前記第１および第２係合片の先端部分が、前記係合部となって、前記孔の周縁を形成し、前記第１および第２係合片の、前記弾性変形が可能となる係合片は、前記孔から延びる切り込みあるいは切り欠きに挟まれるようにして形成されてもよい。
【００１３】
また、請求項５に記載の発明に係る配線用ボックスのように、請求項１または２に記載の配線用ボックスにおいて、前記第１および第２係合片は、前記固定部とともに、前記ボックス本体と一体成形されてもよい。このように、第１および第２係合片が、固定部とともに、ボックス本体と一体成形されることで、この配線用ボックスは、簡単な構成となる。
【００１４】
また、請求項６記載の発明に係る配線用ボックスのように、請求項１ないし５いずれか１項に記載の配線用ボックスにおいて、前記取付部材は、ビスであって、前記被係合部は、そのビスのねじ山からなり、前記係合部が前記ねじ山と係合した状態で前記ビスを回動することで、前記ビスが進退移動してもよい。これにより、配線用ボックスに配線器具を取り付ける際に、配線用ボックスの固定部に、ビスの軸部を押し込んだ後、さらに、そのビスを、その締付け方向に回動することが可能となる。そして、配線用ボックスから配線器具を取り外すことも可能となる。すなわち、ねじ山が係合部に係合されたビスを、その緩み方向に回動する。こうすることで、ビスは、後退し、固定部から取り除かれて、配線器具は、ボックス本体、つまりは配線用ボックスから取り外される。
【００１５】
また、請求項７記載の発明に係る配線用ボックスのように、請求項４記載の配線用ボックスにおいて、前記取付部材は、ビスであって、前記被係合部は、そのビスのねじ山からなり、前記係合部が前記ねじ山と係合した状態で前記ビスを回動することで、前記ビスが進退移動し、かつ、前記係合体は、ばね性を有するとともに、前記軸部の進入方向側に凸となるように湾曲もしくは屈曲して形成されてもよい。これにより、配線用ボックスに配線器具を取り付ける際に、配線用ボックスの固定部に、ビスの軸部を押し込んだ後、さらに、そのビスを、その締付け方向に回動することが可能となる。このとき、係合体は、その凸形状が、平面となる側に変形する。ここで、係合体は、ばね性を有しているので、元の凸形状に戻ろうとする係合体のばね力が、ビスを引き込むように作用する。また、配線用ボックスから配線器具を取り外すことも可能となる。すなわち、ねじ山が係合部に係合されたビスを、その緩み方向に回動する。こうすることで、ビスは、後退し、固定部から取り除かれて、配線器具は、ボックス本体、つまりは配線用ボックスから取り外される。
【００１６】
また、請求項８に記載の発明に係る配線用ボックスカバーは、前後に開口する開口孔を有するカバー本体と、そのカバー本体に配線器具を前方側から、軸部に被係合部を有する取付部材を用いて、取付固定するための固定部とを備える。この固定部は、少なくとも、相対向する第１係合片と第２係合片とを有し、それら第１および第２係合片には、それぞれ前記被係合部と係合する係合部が設けられている。また、前記固定部への前記軸部の進入を許容すべく、前記第１および第２係合片のうちの少なくとも第２係合片は、前記軸部に押された前記各係合部が前記被係合部から離脱するように、弾性変形可能に形成され、かつ、前記第１係合片と前記第２係合片とは、前記第１係合片が弾性変形不能で、前記第２係合片が弾性変形可能となるように形成され、あるいは、それら第１および第２係合片が弾性変形可能で、その弾性変形において、相対的に、前記第１係合片のばね定数が大で、前記第２係合片のばね定数が小となるように形成されている。
【００１７】
これにより、この配線用ボックスカバーに配線器具を取り付ける場合には、この配線用ボックスカバーの固定部に、前方側から取付部材を押し込むように押圧する。こうすることで、第１および第２係合片に設けられた係合部が取付部材の軸部に押圧され、それに共なって、第２係合片、あるいは、第１および第２係合片が、弾性変形して、各係合部は、軸部の被係合部から離脱し、軸部は、固定部へ進入する。そして、取付部材の押し込みを終えると、係合部は、取付部材における被係合部と係合し、配線器具は、カバー本体、つまりは配線用ボックスカバーに取付固定される。ここにおいて、相対向する第１係合片と第２係合片とは、第１係合片が弾性変形不能で、第２係合片が弾性変形可能となるように形成され、あるいは、それら第１および第２係合片が弾性変形可能で、その弾性変形において、相対的に、第１係合片のばね定数が大で、第２係合片のばね定数が小となるように形成されている。このように、これら相対向する第１係合片と第２係合片とは、その剛性が、第１係合片が大で、第２係合片が小となるように、異なっているため、第１係合片が、取付部材の抜けに対して大きな抵抗力を発揮し、全体として、取付部材が抜け難い構造となっている。
【００１８】
また、請求項９記載の発明に係る配線用ボックスカバーのように、請求項８に記載の配線用ボックスカバーにおいて、前記第１および第２係合片は、前記第１係合片が前記開口孔側となり、前記第２係合片が前記開口孔側とは反対側となるように配備されるのが望ましい。第２係合片が、弾性変形可能に形成されたり、また、相対的にばね定数が小となるように形成されているのに対し、第１係合片は、弾性変形不能に形成されたり、相対的にばね定数が大となるように形成されており、一般に、その第１係合片の占める領域は、第２係合片に比して小さくなる。したがって、取付部材の位置を変えることができない場合に、第１係合片を開口孔側に、そして、第２係合片を開口孔側とは反対側に配備することで、この開口孔を広く取ることが可能となる。
【００１９】
また、請求項１０に記載の発明に係る配線用ボックスカバーのように、請求項８または９に記載の配線用ボックスカバーにおいて、前記第１および第２係合片は、前記カバー本体とは別体となる係合体に設けられてもよい。このように、第１係合片と第２係合片とが、カバー本体とは別体の係合体に設けられることから、これら第１および第２係合片の形状の自由度が増加し、この配線用ボックスカバーの製造が容易となる。
【００２０】
また、請求項１１に記載の発明に係る配線用ボックスカバーのように、請求項１０に記載の配線用ボックスカバーにおいて、前記係合体は、板材からなり、その板材に、前記軸部が挿通される孔が形成され、前記第１および第２係合片の先端部分が、前記係合部となって、前記孔の周縁を形成し、前記第１および第２係合片の、前記弾性変形が可能となる係合片は、前記孔から延びる切り込みあるいは切り欠きに挟まれるようにして形成されてもよい。
【００２１】
また、請求項１２に記載の発明に係る配線用ボックスカバーのように、請求項８または９に記載の配線用ボックスカバーにおいて、前記第１および第２係合片は、前記固定部とともに、前記カバー本体と一体成形されてもよい。このように、第１および第２係合片が、固定部とともに、カバー本体と一体成形されることで、この配線用ボックスカバーは、簡単な構成となる。
【００２２】
また、請求項１３に記載の発明に係る配線用ボックスカバーのように、請求項８ないし１２のいずれか１項に記載の配線用ボックスカバーにおいて、前記取付部材は、ビスであって、前記被係合部は、そのビスのねじ山からなり、前記係合部が前記ねじ山と係合した状態で前記ビスを回動することで、前記ビスが進退移動してもよい。これにより、配線用ボックスカバーに配線器具を取り付ける際に、配線用ボックスカバーの固定部に、ビスの軸部を押し込んだ後、さらに、そのビスを、その締付け方向に回動することが可能となる。そして、配線用ボックスカバーから配線器具を取り外すことも可能となる。すなわち、ねじ山が係合部に係合されたビスを、その緩み方向に回動する。こうすることで、ビスは、後退し、固定部から取り除かれて、配線器具は、カバー本体、つまりは配線用ボックスカバーから取り外される。
【００２３】
また、請求項１４に記載の発明に係る配線用ボックスカバーのように、請求項１１に記載の配線用ボックスカバーにおいて、前記取付部材は、ビスであって、前記被係合部は、そのビスのねじ山からなり、前記係合部が前記ねじ山と係合した状態で前記ビスを回動することで、前記ビスが進退移動し、かつ、前記係合体は、ばね性を有するとともに、前記軸部の進入方向側に凸となるように湾曲もしくは屈曲して形成されてもよい。これにより、配線用ボックスカバーに配線器具を取り付ける際に、配線用ボックスカバーの固定部に、ビスの軸部を押し込んだ後、さらに、そのビスを、その締付け方向に回動することが可能となる。このとき、係合体は、その凸形状が、平面となる側に変形する。ここで、係合体は、ばね性を有しているので、元の凸形状に戻ろうとする係合体のばね力が、ビスを引き込むように作用する。また、配線用ボックスカバーから配線器具を取り外すことも可能となる。すなわち、ねじ山が係合部に係合されたビスを、その緩み方向に回動する。こうすることで、ビスは、後退し、固定部から取り除かれて、配線器具は、カバー本体、つまりは配線用ボックスカバーから取り外される。
【００２４】
また、請求項１５に記載の発明に係る、配線用ボックスまたは配線用ボックスカバーに用いられる係合体は、配線用ボックスまたは配線用ボックスカバーに、配線器具を前方側から、軸部に被係合部を有する取付部材を用いて、取付固定するために、前記配線用ボックスまたは配線用ボックスカバーの固定部に備えられる。この係合体は、少なくとも、相対向する第１係合片と第２係合片とを有し、それら第１および第２係合片には、それぞれ前記被係合部と係合する係合部が設けられている。また、前記軸部の進入を許容すべく、前記第１および第２係合片のうちの少なくとも第２係合片は、前記軸部に押された前記各係合部が前記被係合部から離脱するように、弾性変形可能に形成され、かつ、前記第１係合片と前記第２係合片とは、前記第１係合片が弾性変形不能で、前記第２係合片が弾性変形可能となるように形成され、あるいは、それら第１および第２係合片が弾性変形可能で、その弾性変形において、相対的に、前記第１係合片のばね定数が大で、前記第２係合片のばね定数が小となるように形成されている。
【００２５】
これにより、配線用ボックスまたは配線用ボックスカバーに配線器具を取り付ける場合には、この配線用ボックスまたは配線用ボックスカバーの固定部に備えられる係合体に、前方側から取付部材を押し込むように押圧する。こうすることで、第１および第２係合片に設けられた係合部が取付部材の軸部に押圧され、それに共なって、第２係合片、あるいは、第１および第２係合片が、弾性変形して、各係合部は、軸部の被係合部から離脱し、軸部は、係合体へ進入する。そして、取付部材の押し込みを終えると、係合部は、取付部材における被係合部と係合し、配線器具は、配線用ボックスまたは配線用ボックスカバーに取付固定される。ここにおいて、相対向する第１係合片と第２係合片とは、第１係合片が弾性変形不能で、第２係合片が弾性変形可能となるように形成され、あるいは、それら第１および第２係合片が弾性変形可能で、その弾性変形において、相対的に、第１係合片のばね定数が大で、第２係合片のばね定数が小となるように形成されている。このように、これら相対向する第１係合片と第２係合片とは、その剛性が、第１係合片が大で、第２係合片が小となるように、異なっているため、第１係合片が、取付部材の抜けに対して大きな抵抗力を発揮し、全体として、取付部材が抜け難い構造となっている。
【００２６】
【発明の実施の形態】
以下、この発明に係る配線用ボックスおよび配線用ボックスカバー、並びに、配線用ボックスまたは配線用ボックスカバーに用いられる係合体の実施の形態を図面に基づいて説明する。
【００２７】
図１ないし図６は、本発明の第一の実施の形態として、配線用ボックス、および、配線用ボックスに用いられる係合体の、一実施の形態を示す。図中符号１は、建物の壁である。２は、コンセントとかスイッチ等の配線器具である。３は、その配線器具２を保持する保持材としての保持パネルである。４は、取付部材としてのビスであり、その軸部４ｂに、その軸方向に並ぶ被係合部としてのねじ山４ａを有している。１０は、配線用ボックスである。
【００２８】
保持パネル３は、枠状に形成されており、その枠内に、配線器具２が取り付けられる。そして、保持パネル３は、その各側、例えば上下の各側に、ビス４が挿通される孔３ａが形成されている。
【００２９】
配線用ボックス１０は、例えば合成樹脂製であって、前面に開口１１ａを有するボックス本体１１と、そのボックス本体１１に配線器具２を前方側からビス４、４を用いて取付固定するための固定部５、５とを備える。この固定部５は、少なくとも、相対向する第１係合片６と第２係合片７とを有する。ここで、それら第１および第２係合片６、７には、それぞれ前記ビス４のねじ山４ａと係合する係合部６ａ、７ａが設けられている。また、これら第１および第２係合片６、７のうちの少なくとも第２係合片７は、固定部５への、ビス４の軸部４ｂの進入を許容すべく、軸部４ｂに押された各係合部６ａ、７ａがねじ山４ａから離脱するように、弾性変形可能に形成されている。図示実施の形態においては、これら第１および第２係合片６、７が弾性変形可能で、その弾性変形において、相対的に、第１係合片６のばね定数が大で、第２係合片７のばね定数が小となるように形成されている。そして、第１および第２係合片６、７は、第１係合片６がボックス本体１１の開口１１ａ側となり、第２係合片７が開口１１ａ側とは反対側となるように配備される。また、ここで、係合部６ａ、７ａがねじ山４ａと係合した状態で、ビス４を回動することで、そのビス４が進退移動するようになっている。
【００３０】
具体的には、ボックス本体１１は、前方が開放した箱形形状、例えば直方体形状をしている。そして、固定部５は、ボックス本体１１の、例えば上下の各側に設けられており、図示実施の形態においては、ボックス本体１１の側壁１１ｂから開口１１ａ側に突出するようにして形成されている。この固定部５には、側壁１１ｂの表側から、後述する係合体８を収容する収容孔５ａが形成されている。そして、この収容孔５ａは、図４に示すように、前側の幅広部５ｂと、後側の幅狭部５ｃとから構成されている。また、固定部５には、前記収容孔５ａと交差するようにして、前記ビス４の軸部４ｂが挿通される挿通孔５ｄが形成されている。そして、この挿通孔５ｄは、図示実施の形態においては、収容孔５ａよりも前側が径小となり、収容孔５ａよりも後側が径大となっている。
【００３１】
ここにおいて、前記第１および第２係合片６、７は、ボックス本体１１とは別体となる係合体８に設けられている。そして、この係合体８が、配線用ボックス１０の固定部５に備えられる。この係合体８は、ばね性を有するとともに、ビス４の軸部４ｂの進入方向側に凸となるように湾曲もしくは屈曲して形成されている。
【００３２】
詳細には、この係合体８は、例えば、鋼板とか銅合金板等の板材からなり、その板材に、前記ビス４の軸部４ｂが挿通される孔８ａが形成されている。そして、第１および第２係合片６、７の先端部分が、前記係合部６ａ、７ａとなって、孔８ａの周縁を形成している。また、第１および第２係合片６、７の、前記弾性変形が可能となる係合片、すなわち、図示実施の形態においては、第１係合片６と第２係合片７とは、孔８ａから延びる切り込み８ｂ、８ｂ、８ｃ、８ｃに挟まれるようにして形成されている。
【００３３】
より詳細には、係合体８は、略長方形形状の矩形状であって、その長手方向に対して湾曲もしくは屈曲（図示実施の形態においては、湾曲）して形成されている。そして、係合体８には、中央よりも長手方向の一方側に寄った位置に、前記孔８ａが形成されている。そして、第１係合片６を形成する切り込みとなる第１の切り込み８ｂ、８ｂは、この係合体８の幅方向における孔８ａの両端部分から、係合体８の長手方向の前記一方側に延びている。一方、第２係合片７を形成する切り込みとなる第２の切り込み８ｃ、８ｃは、同じく係合体８の幅方向における孔８ａの両端部分から、係合体８の長手方向の他方側に延びている。ここで、第１の切り込み８ｂ、８ｂが、第２の切り込み８ｃ、８ｃに比して短く形成されることで、相対的に、第１係合片６のばね定数が大で、第２係合片７のばね定数が小となっている。そして、第１および第２係合片６、７は、その先端が前記軸部４ｂの進入方向側となるように、傾いて形成されている。また、第１および第２係合片６、７の先端は、略Ｖ字状に形成されて、孔８ａは、略四角形状となっている。さらに、係合体８には、例えばその係合体８の長手方向の他方側に、前記軸部４ｂの進入方向側に折れ曲った折曲り片８ｄが形成されている。
【００３４】
そこで、この係合体８は、その幅方向の両側部分が、収容孔５ａにおける幅広部５ｂの両側部分に収容され、そして、第１および第２係合片６、７と折曲り片８ｄとが、収容孔５ａにおける幅広部５ｂの中央部分および幅狭部５ｃに収容される。
【００３５】
次に、以上の構成からなる配線用ボックス１０および係合体８の作用効果について説明する。この配線用ボックス１０は、予め、壁１の裏側の柱等に、木ねじ等の固着具により取り付けられている。そこで、この配線用ボックス１０に配線器具２を取り付けるには、配線用ボックス１０に対応して、壁１に明けられた壁孔１ａ部分における、壁１の表側に、配線器具２が取り付けられた保持パネル３を宛がう。その後、ビス４、４（詳細には、軸部４ｂ、４ｂ）を保持パネル３の孔３ａ、３ａに通し、この配線用ボックス１０の固定部５、５に、前方側からそのビス４、４を押し込むように押圧する。こうすることで、ビス４の軸部４ｂは、固定部５の挿通孔５ｄを通り、その軸部４ｂによって、第１および第２係合片６、７に設けられた係合部６ａ、７ａが押圧される。そして、その押圧に共なって、第１および第２係合片６、７が、弾性変形して、各係合部６ａ、７ａは、ねじ山４ａから離脱する。こうして、ビス４の軸部４ｂは、固定部５へ進入することができる。そして、ビス４の押し込みを終えると、係合部６ａ、７ａは、ビス４のねじ山４ａと係合し、配線器具２は、ボックス本体１１、つまりは配線用ボックス１０に、保持パネル３を介して取付固定される。このように、ビス４、４を押し込むことで、この配線用ボックス１０に配線器具２を簡単に固定することができる。
【００３６】
ここにおいて、相対向する第１係合片６と第２係合片７とは、それら第１および第２係合片６、７が弾性変形可能で、その弾性変形において、相対的に、第１係合片６のばね定数が大で、第２係合片７のばね定数が小となるように形成されている。このように、これら相対向する第１係合片６と第２係合片７とは、その剛性が、第１係合片が大で、第２係合片が小となるように、異なっているため、第１係合片６が、ビス４の抜けに対して大きな抵抗力を発揮し、全体として、ビス４が抜け難い構造となっている。すなわち、この構造により、配線器具２を配線用ボックス１０に確実に固定することができる。
【００３７】
ところで、配線用ボックス１０に配線器具２を取り付ける際に、配線用ボックス１０の固定部５に、ビス４の軸部４ｂを押し込んだ後、さらに、そのビス４を、その締付け方向に回動してもよい。このように、ビス４の回動を加えることで、この配線用ボックス１０に配線器具２を強固に固定することが可能となる。特に、図示実施の形態においては、配線用ボックス１０の固定部５に、ビス４の軸部４ｂを押し込んだ後、そのビス４を、その締付け方向に回動すると、係合体８は、その凸形状が、平面となる側に変形する。このとき、係合体８は、ばね性を有しているので、元の凸形状に戻ろうとする係合体８のばね力が、ビス４を引き込むように作用する。したがって、この作用により、このビス４が緩むのを防止することができる。
【００３８】
反対に、配線用ボックス１０から配線器具２を取り外す場合には、ねじ山４ａが係合部６ａ、７ａに係合されたビス４を、その緩み方向に回動する。こうすることで、ビス４は、後退し、固定部５から取り除かれて、配線器具２は、保持パネル３とともに、ボックス本体１１、つまりは配線用ボックス１０から取り外される。
【００３９】
ここにおいて、第１係合片６と第２係合片７とが、ボックス本体１１とは別体の係合体８に設けられている。したがって、これら第１および第２係合片６、７の形状の自由度が増加し、この配線用ボックス１０の製造を容易に行うことができる。
【００４０】
また、第２係合片７が、相対的にばね定数が小となるように形成されているのに対し、第１係合片６は、相対的にばね定数が大となるように形成されており、一般に、その第１係合片６の占める領域は、第２係合片７に比して小さくなる。したがって、ビス４の位置を変えることができない場合に（例えば、図示実施の形態のように、ビス４、４間の間隔を変えることができない場合に）、第１係合片６を開口１１ａ側に、そして、第２係合片７を開口１１ａ側とは反対側に配備することで、この開口１１ａを、詳しくは固定部５、５間の開口を、広く取ることが可能となる。
【００４１】
図７および図８は、本発明の第二の実施の形態として、配線用ボックスカバー、および、配線用ボックスカバーに用いられる係合体の、一実施の形態を示す。この実施の形態においては、配線用ボックス２０に、その前方から、配線用ボックスカバー３０が組み付けられ、そして、その配線用ボックスカバー３０に、第一の実施の形態と同様の固定部５、つまり、第１および第２係合片６、７（係合体８）等を有する固定部５が設けられる。
【００４２】
詳細には、配線用ボックスカバー３０は、例えば合成樹脂製であって、前後に開口する開口孔３１ａを有するカバー本体３１と、そのカバー本体３１に配線器具２を前方側から、取付部材としてのビス４、４を用いて、取付固定するための前記固定部５、５とを備える。ここにおいて、第１および第２係合片６、７は、第一の実施の形態と同様にして、カバー本体３１とは別体となる係合体８に設けられている。そして、この係合体８が、配線用ボックスカバー３０の固定部５に備えられる。
【００４３】
具体的には、この配線用ボックスカバー３０においては、カバー本体３１は、例えば長方形をした枠状に形成されて、その内側が、前記開口孔３１ａとなっている。そして、カバー本体３１は、その内周側から前方に突出する第１周壁３１ｂと、外周側から後方に突出する第２周壁３１ｃとを備えている。そして、前記固定部５は、カバー本体３１における第１周壁３１ｂの、例えば上下の各側に設けられている。また、第２周壁３１ｃの内面には、例えば上下の各側に、凹部３１ｄが形成されている。
【００４４】
一方、配線用ボックス２０は、前方が開放した箱形形状、例えば直方体形状をしている。そして、その配線用ボックス２０の側壁２０ａには、例えば上下の各側に、突起２０ｂが形成されている。ここで、突起２０ｂは、配線用ボックスカバー３０の凹部３１ｄに係合し、こうして、配線用ボックスカバー３０は、配線用ボックス２０に取付固定される。そして、図示実施の形態においては、配線用ボックスカバー３０と配線用ボックス２０とが組み付けられて、例えばコンクリートからなる壁１に、開口孔３１ａが壁１の表側に臨むようにして埋設される。そして、この配線用ボックスカバー３０においても、第一の実施の形態の配線用ボックス１０と同様に、配線器具２が、カバー本体３１、つまりは配線用ボックスカバー３０に、保持パネル３を介して取付固定される。こうして、この配線用ボックスカバー３０は、第一の実施の形態の配線用ボックス１０と同様の作用効果を有する。
【００４５】
なお、本発明は、上述した実施の形態に限定されるわけではなく、その他種々の変更が可能である。例えば、第一および第二の実施の形態における固定部５には、相対向する第１係合片６と第２係合片７とが設けられているが、それ以外の係合片が設けられてもよい。
【００４６】
また、係合体８において、第１および第２係合片６、７は、孔８ａから延びる切り込み８ｂ、８ｂ、８ｃ、８ｃに挟まれるようにして形成されなくとも、孔８ａから延びる切り欠きに挟まれるようにして形成されてもよい。また、係合体８は、それ自身が一体に形成されなくとも、例えば、第１係合片６側と第２係合片７側とに分割されて形成されてもよい。
【００４７】
また、係合体８において、例えば、第１係合片６側の第１の切り込み８ｂ、８ｂを無くし、第２係合片７側の第２の切り込み８ｃ、８ｃを残すことで、第１係合片６が弾性変形不能で、第２係合片７が弾性変形可能となるように形成されてもよい。そして、このように、第１および第２係合片６、７を形成した場合においても、第一および第二の実施の形態のような、両係合片６、７が弾性変形可能で、それら係合片６、７のばね定数に差を設けた場合と、同様の作用効果を有する。
【００４８】
また、係合体８は、湾曲（もしくは屈曲）して形成されているが、真直ぐに形成されてもよい。そして、係合体８には、折曲げ片８ｄが設けられているが、この折曲げ片８ｄは、無くともよい。
【００４９】
また、図９に示すように、第１および第２係合片６、７は、固定部５とともに、ボックス本体１１と一体成形されてもよい。このように、第１および第２係合片６、７が、固定部５とともに、ボックス本体１１と一体成形されることで、この配線用ボックス１０は、簡単な構成となり、この配線用ボックス１０のコストを低減することができる。また、この図９においては、第１係合片６は、弾性変形不能で、第２係合片７が弾性変形可能となるように形成されているが、第一の実施の形態と同様に、両係合片６、７が弾性変形可能で、その弾性変形において、相対的に、第１係合片６のばね定数が大で、第２係合片７のばね定数が小となるように形成されてもよい。また、これらのことは、配線用ボックス１０における係合片６、７のみならず、配線用ボックスカバー３０における係合片６、７についても、同様に適用できる。
【００５０】
また、配線器具２は、ボックス本体１１（配線用ボックス１０）あるいはカバー本体３１（配線用ボックスカバー３０）に、保持パネル３を介して取付固定されるが、直接取付固定されるものであってもよい。
【００５１】
また、取付部材は、軸部４ｂにその軸方向に並ぶ被係合部が設けられていれば、ビス４でなくとも、例えば、被係合部として、リング状の凸条が、軸方向に並んで設けられるものであってもよい。もっとも、場合によっては、この取付部材の代わりに、軸部に凹凸のない平滑な被係合部を設けることで、係合部が、その平滑な被係合部と係合してもよい。
【００５２】
【発明の効果】
以上、詳述したところから明らかなように、この発明に係る配線用ボックスおよび配線用ボックスカバー、並びに、配線用ボックスまたは配線用ボックスカバーに用いられる係合体によれば、次の効果がある。
【００５３】
請求項１に記載された配線用ボックスによれば、取付部材を押し込むことで、この配線用ボックスに配線器具を簡単に固定することができる。そして、第１係合片が、取付部材の抜けに対して大きな抵抗力を発揮し、全体として、取付部材が抜け難い構造となっているため、配線器具を確実に固定することができる。
【００５４】
また、請求項２に記載された配線用ボックスによれば、請求項１の効果に加えて、取付部材の位置を変えることができない場合に、第１係合片を開口側に、そして、第２係合片を開口側とは反対側に配備することで、この開口を広く取ることができる。
【００５５】
また、請求項３および４に記載された配線用ボックスによれば、請求項１または２の効果に加えて、第１係合片と第２係合片とが、ボックス本体とは別体の係合体に設けられることから、これら第１および第２係合片の形状の自由度が増加し、この配線用ボックスの製造を容易に行うことができる。
【００５６】
また、請求項５に記載された配線用ボックスによれば、請求項１または２の効果に加えて、係合片が、固定部とともに、ボックス本体と一体成形されて、配線用ボックスは、簡単な構成となっているため、この配線用ボックスのコストを低減することができる。
【００５７】
また、請求項６に記載された配線用ボックスによれば、請求項１ないし５のいずれか１項の効果に加えて、配線用ボックスに配線器具を取り付ける際に、配線用ボックスの固定部に、取付部材となるビスを押し込んだ後、さらに、そのビスを、その締付け方向に回動することで、この配線用ボックスに配線器具を強固に固定することが可能となる。しかも、取付部材がビスであることから、そのビスを緩み方向に回動することで、配線用ボックスから配線器具を取り外すことができる。
【００５８】
また、請求項７に記載された配線用ボックスによれば、請求項４の効果に加えて、配線用ボックスに配線器具を取り付ける際に、配線用ボックスの固定部に、取付部材となるビスを押し込んだ後、さらに、そのビスを、その締付け方向に回動することで、係合体の凸形状が平面となる側に変形するが、係合体は、元の凸形状に戻ろうとするばね力が、ビスを引き込むように作用するので、このビスが緩むのを防止することができる。しかも、取付部材がビスであることから、そのビスを緩み方向に回動することで、配線用ボックスから配線器具を取り外すことができる。
【００５９】
請求項８に記載された配線用ボックスカバーによれば、取付部材を押し込むことで、この配線用ボックスカバーに配線器具を簡単に固定することができる。そして、第１係合片が、取付部材の抜けに対して大きな抵抗力を発揮し、全体として、取付部材が抜け難い構造となっているため、配線器具を確実に固定することができる。
【００６０】
また、請求項９に記載された配線用ボックスカバーによれば、請求項８の効果に加えて、取付部材の位置を変えることができない場合に、第１係合片を開口孔側に、そして、第２係合片を開口孔側とは反対側に配備することで、この開口孔を広く取ることができる。
【００６１】
また、請求項１０および１１に記載された配線用ボックスカバーによれば、請求項８または９の効果に加えて、第１係合片と第２係合片とが、カバー本体とは別体の係合体に設けられることから、これら第１および第２係合片の形状の自由度が増加し、この配線用ボックスカバーの製造を容易に行うことができる。
【００６２】
また、請求項１２に記載された配線用ボックスカバーによれば、請求項８または９の効果に加えて、係合片が、固定部とともに、カバー本体と一体成形されて、配線用ボックスカバーは、簡単な構成となっているため、この配線用ボックスカバーのコストを低減することができる。
【００６３】
また、請求項１３に記載された配線用ボックスカバーによれば、請求項８ないし１２のいずれか１項の効果に加えて、配線用ボックスカバーに配線器具を取り付ける際に、配線用ボックスカバーの固定部に、取付部材となるビスを押し込んだ後、さらに、そのビスを、その締付け方向に回動することで、この配線用ボックスカバーに配線器具を強固に固定することが可能となる。しかも、取付部材がビスであることから、そのビスを緩み方向に回動することで、配線用ボックスカバーから配線器具を取り外すことができる。
【００６４】
また、請求項１４に記載された配線用ボックスカバーによれば、請求項１１の効果に加えて、配線用ボックスカバーに配線器具を取り付ける際に、配線用ボックスカバーの固定部に、取付部材となるビスを押し込んだ後、さらに、そのビスを、その締付け方向に回動することで、係合体の凸形状が平面となる側に変形するが、係合体は、元の凸形状に戻ろうとするばね力が、ビスを引き込むように作用するので、このビスが緩むのを防止することができる。しかも、取付部材がビスであることから、そのビスを緩み方向に回動することで、配線用ボックスカバーから配線器具を取り外すことができる。
【００６５】
また、請求項１５に記載された、配線用ボックスまたは配線用ボックスカバーに用いられる係合体によれば、取付部材を押し込むことで、配線用ボックスまたは配線用ボックスカバーに配線器具を簡単に固定することができる。そして、第１係合片が、取付部材の抜けに対して大きな抵抗力を発揮し、全体として、取付部材が抜け難い構造となっているため、配線器具を確実に固定することができる。
【図面の簡単な説明】
【図１】この発明に係る配線用ボックスおよび係合体の一実施の形態の、縦断面図である。
【図２】同じく、配線用ボックスの正面図である。
【図３】同じく、図１におけるＡ部拡大図である。
【図４】同じく、図３におけるＢ矢視図である。
【図５】同じく、係合体の拡大図である。
【図６】同じく、図５におけるＣ−Ｃ線による断面図である。
【図７】この発明に係る配線用ボックスカバーおよび係合体の一実施の形態の、縦断面図である。
【図８】同じく、図７におけるＤ部拡大図である。
【図９】この発明に係る配線用ボックスの他の実施の形態の、図３相当図である。
【符号の説明】
２  配線器具                      ４  ビス（取付部材）
４ａ  ねじ山（被係合部）          ４ｂ  軸部
５  固定部
６  第１係合片                    ６ａ  係合部
７  第２係合片                    ７ａ  係合部
８  係合体                        ８ａ  孔
８ｂ  第１の切り込み（切り込み）  ８ｃ  第２の切り込み（切り込み）
１０  配線用ボックス              １１  ボックス本体
１１ａ  開口
３０  配線用ボックスカバー        ３１  カバー本体
３１ａ  開口孔
【図１】
2005012877.tif 000003
【図２】
2005012877.tif 000004
【図３】
2005012877.tif 000005
【図４】
2005012877.tif 000006
【図５】
2005012877.tif 000007
【図６】
2005012877.tif 000008
【図７】
2005012877.tif 000009
【図８】
2005012877.tif 000010
【図９】
2005012877.tif 000011